(57)【要約】【課題】掃除機本体の紙フィルタに収集されるゴミ量を著しく減らせて、紙フィルタの使用寿命を延せる真空掃除機用サイクロン集塵装置を提供する。【解決手段】本発明に係る真空掃除機用サイクロン集塵装置は、吸気口と排気口を備え、吸気口を介して流入されるゴミを含んだ空気について旋回気流を形成するサイクロンボディ、旋回気流によって空気から分離されるゴミを収集するためにサイクロンボディに着脱自在に結合されるゴミカップと、サイクロンボディの排気口を通したゴミの逆流を防ぐためにサイクロンボディ内の排気口の入口に設けられたグリル組立体、及びグリル組立体によって分離されていない微細ゴミを２次に分離するためにサイクロンボディのグリル組立体後流に置かれるよう設けられた微細ゴミ濾過手段とを含む。【選択図】      図４
2004188175.tif 000002
【特許請求の範囲】
【請求項１】
吸気口と排気口を備え、該吸気口を通して流入されるゴミを含んだ空気について旋回気流を形成するサイクロンボディと、
前記旋回気流によって空気から分離されるゴミを収集するために前記サイクロンボディに着脱自在に結合されるゴミカップと、
前記サイクロンボディの排気口を通したゴミの逆流を防ぐために前記サイクロンボディ内の前記排気口の入口に設けられたグリル組立体と、
該グリル組立体によって分離されない微細ゴミを２次に分離するために前記サイクロンボディの前記グリル組立体後流に置かれるよう設けられる微細ゴミ濾過手段とを含むことを特徴とする真空掃除機用サイクロン集塵装置。
【請求項２】
前記微細ゴミ濾過手段は、
前記サイクロンボディに形成され、前記排気口と直交方向に開放された開口部を備えるフィルタ装着部と、
前記フィルタ装着部に引出し式で着脱自在に結合されるフィルタ組立体とを含むことを特徴とする請求項１に記載の真空掃除機用サイクロン集塵装置。
【請求項３】
前記フィルタ組立体は、
前記フィルタ装着部のサイズ及び構造に対応する外観構造を有するフィルタケースと、
該フィルタケースに結合された微細フィルタとを含むことを特徴とする請求項２に記載の真空掃除機用サイクロン集塵装置。
【請求項４】
前記フィルタ装着部の開口部と接触する前記フィルタケース部位には、密封のためのパッキング部材が設けられることを特徴とする請求項３に記載の真空掃除機用サイクロン集塵装置。
【請求項５】
前記フィルタケースの前面には、その取り扱いのための取手部が備えられることを特徴とする請求項３または４に記載の真空掃除機用サイクロン集塵装置。
【発明の詳細な説明】
【０００１】
【発明の属する技術分野】
本発明は真空掃除機に係り、さらに詳しくは真空掃除機の延長管に設けられ吸込口を通して流入される吸込空気について旋回気流を形成することによって空気中に含まれた埃及び異物(以下、'ゴミ'と称する)を分離収集する真空掃除機用サイクロン集塵装置に関する。
【０００２】
【従来の技術】
真空掃除機の延長管に設けられる前述したようなハンドルサイクロン集塵装置の典型的な一例が図１ないし図３に示されている。これを簡単に説明すれば次の通りである。
【０００３】
図１及び図２に示した通り、従来の真空掃除機用サイクロン集塵装置１０は、サイクロンボディ２０、ゴミカップ３０及びグリル組立体４０を備える。
【０００４】
サイクロンボディ２０は掃除機の吸込口側延長管１ａに連結される吸気管２１と、掃除機の本体側延長管１ｂに連結される排気管２２と、吸気管２１と連通される吸気口２３と、排気管２２と連通される排気口２４を備え、吸気口２３を通して流入されるゴミを含む空気が旋回気流を形成する。
【０００５】
ゴミカップ３０はサイクロンボディ２０に着脱自在に結合され、サイクロンボディ２０によって形成される旋回気流によって空気から分離されるゴミを収集する。
【０００６】
そして、グリル組立体４０は、サイクロンボディ２０内の排気口２４入口に設けられ、ゴミカップ３０に収集されたゴミが排気口２４を通して逆流することを防ぐ。このようなグリル組立体４０はグリルボディ４１、グリルボディ４１の外周面に排気口２４と通じるよう形成された多数の流路４２及びグリルボディ４１の端部に設けられたゴミ遮断部材４３とを備える。
【０００７】
前述したように構成された従来の真空掃除機用サイクロン集塵装置は、図３に示した通り、その吸気管及び排気管２１、２２が掃除機の延長管１ａ、１ｂに連結されるよう装着される。従って、掃除機の吸込口Ｅに発生される吸引力によってゴミが吸込空気と共に吸気管２１を通してサイクロンボディ２０について斜線方向に流入され、これにより空気は旋回気流を形成しつつゴミカップ３０の下部に降下する。この過程において遠心力によって空気中に含まれたゴミが空気から分離されゴミカップ３０に収集される。次いで、空気はゴミカップ３０の底面で反転上昇運動を開始して一層小さい回転半径で回転しつつ、上昇する気流によってグリル組立体４０の流路４２、排気口２４及び排気管２２を通して掃除機本体Ｂ側に排出される。
【０００８】
前述したように掃除機本体Ｂ側に排出される浄化された空気は、掃除機本体Bに備えられた紙フィルタ(図示せず)を経て外部に排出され、この際に前記サイクロン集塵装置によっても分離されない微細ゴミは前記紙フィルタでフィルタリングされ収集される。
【０００９】
前述したようにサイクロン集塵装置は、掃除機の吸込口Ｅを通して吸い込まれる空気中に含まれたゴミが掃除機本体Ｂの紙フィルタに収集される前に１次に濾して収集するため、紙フィルタに収集されるゴミの量を減すことができる。
【００１０】
しかし、前述したような従来の真空掃除機用サイクロン集塵装置は、グリル組立体４０の流路４２サイズより大きいゴミは効果的に分離収集できるが、前記流路４２より小さい微細ゴミが空気と共に流路４２を通して逆流することは避けられない。このように逆流する微細ゴミは、結局、掃除機本体Ｂに備えられた紙フィルタに収集されるため、紙フィルタに収集されるゴミの量が増大になり、よって紙フィルタの使用寿命が縮まるという問題点があって改善が求められている実情である。
【００１１】
【発明が解決しようとする課題】
本発明は前述したような問題点を解決するために案出されたもので、その目的はグリル組立体の流路を通して逆流する微細ゴミを２次にフィルタリングできる手段を講ずることによって紙フィルタに収集されるゴミの量を減らして、紙フィルタの使用寿命を延せる真空掃除機用サイクロン集塵装置を提供することにある。
【００１２】
【課題を解決するための手段】
前述した目的を達成するための本発明に係る真空掃除機用サイクロン集塵装置は、吸気口と排気口を備え、前記吸気口を通して流入されるゴミを含んだ空気について旋回気流を形成するサイクロンボディと、前記旋回気流により空気から分離されるゴミを収集するために前記サイクロンボディに着脱自在に結合されるゴミカップと、前記サイクロンボディの排気口を通したゴミの逆流を防止するために前記サイクロンボディ内の前記排気口入口に設けられたグリル組立体、及び前記グリル組立体によって分離されない微細ゴミを２次に分離するために前記サイクロンボディの前記グリル組立体後流に置かれる設けられた微細ゴミ濾過手段と、を含む。
【００１３】
前記微細ゴミ濾過手段は、前記サイクロンボディに形成され、前記排気口と直交方向に開放された開口部を備えたフィルタ装着部、及び前記フィルタ装着部に引出し式で着脱自在に結合されるフィルタ組立体を含む。
【００１４】
前記フィルタ組立体は、前記フィルタ装着部のサイズ及び構造に対応する外観構造を有するフィルタケース、及び該フィルタケースに結合された微細フィルタを含む。
【００１５】
前記フィルタ装着部の開口部と接触する前記フィルタケース部位には密封のためのパッキング部材が設けられることが望ましい。
【００１６】
また、前記フィルタケースの前面にはその取り扱いのための取手部が備えられることが望ましい。
【００１７】
以上のような本発明のサイクロン集塵装置によれば、グリル組立体によっても分離されずグリル組立体の流路を通して逆流する微細ゴミが前記グリル組立体の流路を通して逆流する微細フィルタによって２次に分離されるため、排出される空気にはゴミが殆んど含まれない。従って、掃除機本体の紙フィルタに収集されるゴミの量を著しく減らせ、紙フィルタの使用寿命を延せる。
【００１８】
【発明の実施の形態】
以下、添付した図面に基づき本発明の望ましい実施形態を詳述する。参考に、本発明の実施形態を説明するにおいて従来とその構成及び作用が同一な部分及び部材については同一な参照符号を付して引用する。
【００１９】
図４は本発明の一実施形態による真空掃除機用サイクロン集塵装置を示す分解斜視図であり、図５は図４の組立状態断面図であって、同図によれば本発明の一実施形態による真空掃除機用サイクロン集塵装置１０は、サイクロンボディ２０、ゴミカップ３０、グリル組立体４０及び微細ゴミ濾過手段５０を備える。
【００２０】
サイクロンボディ２０は、掃除機の吸込口側延長管１ａに連結される吸気管２１と、掃除機の本体側延長管１ｂに連結される排気管２２と、吸気管２１と連通する吸気口２３と、排気管２２と連通される排気口２４を備え、吸気口２３を通して流入されるゴミを含む空気が旋回気流を形成させる。
【００２１】
ゴミカップ３０は、サイクロンボディ２０に着脱自在に結合され、サイクロンボディ２０によって形成される旋回気流によって空気から分離されるゴミを収集する。
【００２２】
そして、グリル組立体４０は、サイクロンボディ２０内の排気口２４の入口に設けられ、ゴミカップ３０に収集されたゴミが排気口２４を通して逆流することを防ぐ。このようなグリル組立体４０は、グリルボディ４１、グリルボディ４１の外周面に排気口２４と連通するよう形成された多数の流路４２及びグリルボディ４１の端部に設けられたゴミ遮断部材４３を備える。
【００２３】
微細ゴミ濾過手段５０は、グリル組立体４０によっても分離されず、グリル組立体４０の流路４２を通して逆流する微細ゴミを２次に分離するためのもので、フィルタ装着部６０とフィルタ組立体７０を備える。
【００２４】
フィルタ装着部６０は、サイクロンボディ２０の一側に形成され、排気口２４と直交方向に開放された開口部６０ａを備える。
【００２５】
フィルタ組立体７０は、フィルタ装着部６０に引出し式で着脱自在に結合され、フィルタ装着部６０を通して排気口２４に排出される空気中に含まれた微細ゴミを分離する。このフィルタ組立体７０はフィルタケース７１と微細フィルタ７２を備える。
【００２６】
フィルタケース７１は、フィルタ装着部６０の形状及び構造に対応する外観構造を有し、微細フィルタ７２はフィルタケース７１に固定される。ここで、微細フィルタ７２は、スポンジなどのような多孔性材質よりなることが望ましい。また、フィルタケース７１のフィルタ装着部６０の開口部６０ａと接触する部位には、密封のためのパッキング部材７１ａが設けられることが望ましい。図面において７１ｂはフィルタ組立体７０の取り扱いを容易にするための取手部である。
【００２７】
以上のように構成された本発明に係る真空掃除機用サイクロン集塵装置は、図３に示した通り、その吸気管２１及び排気管２４が真空掃除機の延長管１ａ、１ｂに連結されるよう装着される。従って、掃除機の吸込口Ｅに発生する吸引力によってゴミが吸込空気と共に吸気管２１を通してサイクロンボディ２０について斜線方向に流入され、これにより空気は旋回気流を形成しつつゴミカップ３０の下部に降下する。この過程で遠心力によって空気中に含まれたゴミが空気から分離されゴミカップ３０に収集される。
【００２８】
前述したような作用によって１次にゴミが分離された空気は、ゴミカップ３０の底面で反転上昇運動を始めて一層小さい回転半径で回転しつつ上昇する気流によってグリル組立体４０の流路４２、排気口２４に位置するよう設けられた微細ゴミ濾過手段５０及び排気管２２を通して掃除機本体Ｂ側に排出される。
【００２９】
この際、前述したように排出される空気中に含まれたグリル組立体４０によって分離されない微細ゴミは、微細ゴミ濾過手段５０のフィルタ組立体７０によって２次に分離され、このようにゴミが１次及び２次に分離された浄化した空気だけが掃除機本体Ｂ側に排出される。
【００３０】
掃除機本体Ｂ側に排出される空気は最終的に掃除機本体Ｂに備えられる紙フィルタを経由して外部に排出される。
【００３１】
以上説明した通り、本発明に係る真空掃除機用サイクロン集塵装置は、グリル組立体によって１次に空気中に含まれた割りと大きい粒子のゴミが分離収集され、微細ゴミ濾過手段によって２次に微細ゴミが分離収集されるため、掃除機本体Ｂ側に移動するゴミの量が著しく減る。
【００３２】
以上、本発明を本発明の原理を例示するための望ましい実施例について示しかつ説明したが、本発明はそのように示しかつ説明されたそのままの構成及び作用に限られない。かえって特許請求の範囲の思想及び範疇を逸脱せず本発明に対する多数の変更及び修正が可能であることを当業者ならば良く理解できる。従って、そのような全ての適切な変更及び修正と均等物も本発明の範囲に属すると見做されるべきである。
【００３３】
【発明の効果】
以上述べた通り、本発明によれば微細ゴミ濾過手段による２次的な微細ゴミ分離収集作用によって掃除機本体側に移動するゴミの量を著しく減らせて、紙フィルタの使用寿命を延せる。
【００３４】
そして、紙フィルタの頻繁な取り替えによる煩わしさを解消でき掃除機の使い勝手が良くなり、また紙フィルタの使用寿命が延びるため、掃除機のメンテナンス費用も低減できる。
【図面の簡単な説明】
【図１】一般の真空掃除機用サイクロン集塵装置を示す分解斜視図である。
【図２】図１の組立状態断面図である。
【図３】一般の真空掃除機用サイクロン集塵装置がキャニスタ型真空掃除機の延長管に設けられた状態を示す斜視図である。
【図４】本発明の一実の形態による真空掃除機用サイクロン集塵装置を示す分解斜視図である。
【図５】図４の組立状態断面図である。
【符号の説明】
１０  サイクロン集塵装置
２０  サイクロンボディ
２１  吸気管
２２  排気管
２３  吸気口
２４  排気口
３０  ゴミカップ
４０  グリル組立体
４１  グリルボディ
４２  流路
５０  微細ゴミ濾過手段
６０  フィルタ装着部
６０ａ  開口部
７０  フィルタ組立体
７１  フィルタケース
７２  微細フィルタ
【図１】
2004188175.tif 000003
【図２】
2004188175.tif 000004
【図３】
2004188175.tif 000005
【図４】
2004188175.tif 000006
【図５】
2004188175.tif 000007